(57)【要約】【課題】低価格であって、ユーザが誤りなく機器同士の相互接続を行なうができるケーブル組立体を提供することを目的とする。【解決手段】ケーブル１１の両端部に固定される電気コネクタ１２，１３の大きさを変え、この大きさが異なることを視覚的標識として利用する。電気コネクタの大きさが異なるので、嵌合面が同じであっても接続される側の機器がその標識ここでは大きさにより示され誤りなくチューナとＰＤＰ（プラズマディスプレイパネル）との相互接続を行なうことができる。【選択図】    図４
2004213949.tif 000002
【特許請求の範囲】
【請求項１】
ケーブルと、該ケーブルの両端に固定され、電気コンタクト及び該電気コンタクトを収容し同一の嵌合面を有するハウジングを具備する電気コネクタとからなる電気ケーブル組立体において、
前記電気コネクタのうち一方のみがイコライザ回路を内蔵し、
前記一方の電気コネクタが、他方の前記電気コネクタと異なる視覚的標識を有することを特徴とする電気ケーブル組立体。
【請求項２】
前記視覚的標識が、前記電気コネクタ及び前記イコライザ回路を収容するカバーハウジングの色彩であることを特徴とする請求項１記載の電気ケーブル組立体。
【発明の詳細な説明】
【０００１】
【発明の属する技術分野】
本発明は、ケーブルと、そのケーブルの両端に固定され、電気コンタクト及びその電気コンタクトを収容し同一の嵌合面を有するハウジングを具備する電気コネクタとからなる電気ケーブル組立体に関する。
【０００２】
【従来の技術】
近年、パーソナルコンピュータなどに使用されるディスプレイ装置として液晶表示パネルが主流になりつつある。ＣＲＴ（ブラウン管）ではパーソナルコンピュータ本体からＣＲＴにアナログ信号を供給してそのアナログ信号に基づいて処理を行なう構造になっているが、液晶表示パネルではパーソナルコンピュータ本体から液晶表示パネルにデジタル信号を供給してもそのデジタル信号に基づいて処理を行なえる構造になっている。そこでパーソナルコンピュータに使用されるディスプレイが今後この液晶表示パネルになることを想定して、パーソナルコンピュータと液晶表示パネルとの相互接続に関する規格が定められている。その規格はＤＶＩ（Ｄｉｇｉｔａｌ  Ｖｉｓｕａｌ  Ｉｎｔｅｒｆａｃｅ）規格と呼ばれており、ＤＤＷＧ（Ｄｉｇｉｔａｌ  Ｄｉｓｐｌａｙ  Ｗｏｒｋｉｎｇ  Ｇｒｏｕｐ）という機関によって提唱されたものである（たとえば非特許文献１参照）。
【０００３】
図１はＤＶＩ規格に準拠した電気コネクタの嵌合面を示す図である。図１にはケーブル組立体側に配設されるプラグタイプの電気コネクタ１の嵌合面が示されている。
【０００４】
図１に示すように嵌合面には電気コンタクト２が３列に規則正しく配列されている。またその３列に配列された電気コンタクト２の横には接地用のコンタクト３が一本別に設けられている。このコンタクト３が相手側のレセクタブルタイプの電気コネクタのコンタクトに嵌合され、３列に配列されている各電気コンタクトもすべて嵌合されると、電気的な導通が得られる。このような嵌合面４を持つプラグタイプの電気コネクタ１がケーブルの両端に固定され、それら固定された電気コネクタのうち、一方がパーソナルコンピュータ本体に在るレセクタブルタイプの電気コネクタに、他方が液晶表示パネルに在るレセクタブルタイプの電気コネクタにそれぞれ嵌合され、パーソナルコンピュータと液晶表示パネルとの相互接続が行なわれる。
【０００５】
このＤＶＩ規格においては、パーソナルコンピュータと液晶表示パネルとの間で相互に通信が行なわれるときに相互に伝送される信号の品質を高めるため差動信号の伝送技術が活用されており、図１に示す嵌合面４を形成するハウジング内の電気コンタクト２が２本ずつ対になって１つの差動信号の伝送が行なわれる。このため、多数の電気コンタクト２が配備されている。また差動信号を使用しても伝送経路にノイズが入り、液晶表示パネルに表示される画像にドットエラー又はピクセルエラーが生ずることもある。この表示画像のノイズは伝送信号のジッタ（ｊｉｔｔｅｒ）及び不十分なアイオープニング（ｅｙｅ  ｏｐｅｎｉｎｇ）に起因するため、上記差動信号に加えて、このジッタ等の影響を除去するため電気コネクタの内部にイコライザ回路を設けることが提案されている（例えば特許文献１参照）。
【０００６】
ところでディスプレイ装置にチューナで受信した画像データを転送して画像データに基づく画像の表示を行なうものにテレビジョン受像機がある。このテレビジョン受像機にも最近では液晶表示パネルが使用されることが多い。さらにこの液晶表示パネルに代わるものとしてプラズマディスプレイパネル（以下ＰＤＰという）も各家庭に出回り始めている。このような液晶表示パネルやＰＤＰなどのパネル型のディスプレイ装置ではチューナ又はセット・トップ・ボックス（以下「ホスト側」という）が別置タイプのものが多く、このホスト側とプラズマディスプレイとの相互接続に上記ケーブル組立体を適用すると、高品位な画像が得られることが期待される。
【０００７】
しかし上記特許文献１に記載されたケーブル組立体はサーバー等のコンピュータとストレージ装置との相互通信を前提としたものであり、ホスト側からＰＤＰへ一方向的に伝送されるものにそのままそのケーブル組立体を用いると一方の電気コネクタに内蔵されるイコライザが不要であるにも拘わらず配備されてしまうといった事態が起こる。このようにもともと不要なイコライザが一方に配備されると、却って誤動作を引き起こす要因となってしまうことさえある。またイコライザが不要なものであるにも拘わらず配備されると、高価になってしまうということもある。そこで、ＰＤＰとホスト側との相互接続に関する規格を、ＤＶＩ規格とは別に定めようとする動きが出てきている。その規格はＨＤＭＩ（ＨｉｇｈＤｅｆｉｎｉｔｉｏｎ  Ｍｕｌｔｉｍｅｄｉａ  Ｉｎｔｅｒｆａｃｅ）規格と呼ばれるもので、ＤＶＩ規格を基にホスト側とＰＤＰとの間の相互接続に関する規格を別途定めようとするものである（例えば非特許文献２参照）。
【０００８】
参考までにそのＨＤＭＩ規格に適合する電気コネクタの例を図に示しておく。
【０００９】
図２、図３はＨＤＭＩ規格に用いられる電気コネクタの嵌合面の一例を示す図である。
【００１０】
図２はレセクタブルタイプの電気コネクタの嵌合面を示す図、図３はプラグタイプの電気コネクタの嵌合面を示す図である。この例では図２，図３に示すように１９個の電気コンタクトが配備されている。それらの図には端部に配備されるＮｏ１，Ｎｏ２，Ｎｏ１８，Ｎｏ１９それぞれの電気コンタクトが示されている。図２に示すレセクタブルタイプの電気コネクタと図３に示すプラグタイプの電気コネクタとが互いの嵌合面で嵌合されると双方の対応するコンタクトが接触して電気的な導通が得られる。これらの電気コネクタでは差動信号により伝送される信号に対しては２本の電気コンタクトが対応してそれら２本の電気コンタクトによって１つの画像信号がＤＶＩ規格のものと同様に伝送される。
【００１１】
このような電気コネクタにおいてはケーブル組立体の両端に固定される電気コネクタにプラグタイプを使用し、ＰＤＰおよびホスト側にレセプタブルタイプを使用することが慣例になっている。そうすると、ケーブル組立体では、両端に固定される電気コネクタが双方ともプラグタイプになって同じ嵌合面を有することになり、一般ユーザがチューナ側にイコライザの内蔵された電気コネクタを誤って接続してしまう恐れがある。このように誤った相互接続が一般ユーザにより行なわれると、ＰＤＰ側に配設されて働くはずのイコライザが機能しなくなり、ＰＤＰの画像にノイズがのることが多い。
【００１２】
【特許文献１】
米国特許第５７６６０２７号明細書
【非特許文献１】
ＤＶＩ規格  インタネット＜ＵＲＬ：ｈｔｔｐ：／／ｗｗｗ．ｄｄｗｇ．ｏｒｇ／Ｄｕａｌ＿ＥＤＩＤ＿ｇｕｉｄｅ１０．ｐｄｆ＞
【非特許文献２】
ＨＤＭＩ規格  インタネット＜ＵＲＬ：ｈｔｔｐ：／／ｗｗｗ．ｈｄｍｉ．ｏｒｇ／ｄｏｗｎｌｏａｄ／ｄｏｗｎｌｏａｄ．ａｓｐ＞
【００１３】
【発明が解決しようとする課題】
本発明は、上記事情に鑑み、低価格であって、ユーザが誤りなく機器同士を相互に接続することができるケーブル組立体を提供することを目的とする。
【００１４】
【課題を解決するための手段】
上記目的を達成する本発明の電気ケーブル組立体は、ケーブルと、そのケーブルの両端に固定され、電気コンタクト及びその電気コンタクトを収容し同一の嵌合面を有するハウジングを具備する電気コネクタとからなる電気ケーブル組立体において、
上記電気コネクタのうち一方のみがイコライザ回路を内蔵し、
上記一方の電気コネクタが、他方の前記電気コネクタと異なる視覚的標識を有することを特徴とする。
【００１５】
上記本発明の電気ケーブル組立体によれば、上記視覚的標識により接続される側が特定され、ユーザが誤った相互接続を行なうということがなくなる。これをＰＤＰとチューナとを相互接続するケーブル組立体に適用すると、ＰＤＰに接続される側の上記一方の電気コネクタが上記視覚的標識により視認され、ユーザが誤った相互接続を行なうということが回避される。上記視覚的標識としてはたとえば上記一方の電気コネクタと他方の電気コネクタとの大きさを変える方法があり、この場合には一方の電気コネクタのカバーハウジングの寸法を変更することで視覚的標識が実現される。そうすると双方の電気コネクタが視覚的標識を有することになり、ユーザによって大きさの違いが視覚的標識として視認され、正しい接続が行なわれる。このように視覚的標識がカバーハウジングの寸法のみで形づくられると、新たに誤認防止用の部材を付加することもないのでコストダウンを図れる。
【００１６】
また、上記視覚的標識が電気コネクタ及びイコライザ回路を収容するカバーハウジングの色彩であるとさらに顕著な効果が得られる。このように上記視覚的標識がカバーハウジングの色彩が異なるものであると、このケーブル組立体をＰＤＰおよびチューナに接続するときに必ずユーザがカバーハウジングを視認することを考えれば、カバーハウジングの色彩が異なることでＰＤＰ側に接続されるべきあるか、チューナに接続されるべきであるかが接続時に確認され、誤った相互接続が防止される率が非常に高くなる。
【００１７】
【発明の実施の形態】
以下、本発明の実施形態を説明する。
【００１８】
図４は本発明の実施形態を示すケーブル組立体の構成を示す分解図である。
【００１９】
ここでは先に説明したＤＶＩ規格に適合したケーブル組立体を改良して一方にイコライザ回路が内蔵された電気コネクタを設けた例を掲げてその構成を説明する。このＤＶＩ規格に適合したケーブルをＨＤＭＩ規格に適合したケーブル組立体に改良することは容易であり、同様の構成を持つ例としてＤＶＩ規格に適合したケーブル組立体の改良例を参照して本発明のケーブル組立体の構成を説明する。
【００２０】
図４に示すようにケーブル組立体１０は、ケーブル１１と、そのケーブル１１の両端に固定された電気コネクタ１２，１３とからなる。
【００２１】
一方の側に固定されている電気コネクタ１２にはイコライザ基板１４が内蔵されており、他方の電気コネクタにはそのイコライザ基板１４が内蔵されていない。また、ケーブル１１の長さＬには限界があるが、波形等化を行なって波形を保証することができる範囲の長さであれば任意である。一方の電気コネクタ１２の大きさはイコライザ基板１４が配設される分、他方の電気コネクタ１３に比べて大きくなっている。この大きさの違いが視角的標識として働く。ここでは大きい方の電気コネクタ１２がＰＤＰ側に接続され、また相対的に小さな電気コネクタ１３がチューナ側に接続されるとしている。ここでさらに一方の電気コネクタに例えばＰＤＰというマーキングを行なって、他方にチューナというマーキングを行なっておくとさらに視覚的標識としての効果が高まる。このようにしておくことで家庭内の一般のユーザであっても、正しくチューナとＰＤＰとを相互に接続することができる。
【００２２】
図５はイコライザ基板１４が内蔵された電気コネクタ１２の構成を示す分解図である。
【００２３】
図５に示すようにこの電気コネクタ１２は、フロントシェル１２ａと、電気コンタクト１２１ｂが支持されるハウジング１２ｂと、バックシェル１２ｃと、イコライザ基板１４とケーブル１１と、それら部材を収容するカバーハウジング１２ｄとからなる。ハウジング１２ｂに支持される電気コンタクト１２１ｂはハウジング１２ｂを貫通して前後に延びて配設されている。
【００２４】
またカバーハウジング１２ｄは中空状のものであり、一方の端部側にバックシェル１２ｃを受け入れるための大きな開口１２１ｄを有し、他方の端部側にケーブル１１を受け入れるためのその大きな開口１２１ｄよりも小さな開口１２２ｄを有するものである。これらの開口が利用されて上記各部材がカバーハウジング１２ｄ内に配設される。また上記電気コネクタ１２を構成する各部材の中のバックシェル１２ｃは、フロントシェル１２ａと一対になってハウジング１２ｂを保持するシェルを形成するものである。そのシェルによって保持されるハウジング１２ｂには３列に整列された複数本の電気コンタクト１２１ｂと接地用コンタクト１２２ｂが支持されている。図５には、前述した慣例に従ってケーブルの両端部に配設されるプラグタイプの電気コネクタ１２，１３のうち、イコライザ基板１４が内蔵される方の電気コネクタ１２が示されている。このプラグタイプの電気コンタクト１２がＰＤＰに設けられたレセクタブルタイプの電気コネクタの凹部に嵌合されると、電気的な導通が得られる。さらに他方の電気コネクタ１３もプラグタイプの電気コネクタであり、この電気コネクタ１３がチューナに固定されたレセクタブルタイプの電気コネクタに嵌合されると、チューナとＰＤＰとの相互接続が得られる。
【００２５】
このようにケーブル組立体によりチューナとＰＤＰとが相互に接続され、放送局から送信された放送電波がチューナで受信されると、チューナからケーブル組立体１０を介してＰＤＰに放送信号に基づいた画像信号が伝送される。ＰＤＰ側に在る電気コネクタ１２にはイコライザ基板１４が内蔵されているので、チューナ側から送られきた信号に位相ジッタが発生していてもそのイコライザ基板１４により位相ジッタが除去される。
【００２６】
ここで図５の分解図を参照して組立の順序を示しながらイコライザ基板１４が内蔵されている方の電気コネクタ１２の構成を説明する。
【００２７】
まずカバーハウジング１２ｄに在る開口部１２２ｄからケーブル１１が挿入される。このケーブル１１には複数の線材１１１ａ，１１１ｂ…が組み込まれており、それら複数の線材１１１ａ，１１１ｂ…が最外郭にある外皮１１ａにより包まれて結束されている。そこでこの外皮１１ａを剥いて各線材１１１ａ，１１１ｂ…の先端部を露出させ、さらに露出された各線材１１１ａ，１１１ｂ…の被覆を剥くことが行なわれる。各線材１１１ａ，１１１ｂ…の先端部分の被覆が剥かれて被覆内にある導体が露出したら、それら露出した各導体がイコライザ基板１４の端部にある各パッド１４ａ，１４ｂ…にそれぞれ区分されて半田で取り付けられる。図５には各線材１１１ａ，１１１ｂ…の導体が対応する各パッド１４ａ，１４ｂ…に半田で取り付けられた後の状態が示されている。このように各線材１１１ａ，１１１ｂ…の導体とイコライザ基板１４のパッド１４ａ，１４ｂ…との接続が終了したら、今度はハウジング１２ｂの組み立てに移る。
【００２８】
図５に示すフロントシェル１２ａとバックシェル１２ｃにはハウジング１２ｂが挿入される貫通孔１２１ａ，１２１ｃがそれぞれ設けられており、これらの貫通孔１２１ａ，１２１ｃにハウジング１２ｂが内挿される。また図５に示すフロントシェル１２ａの後方およびバックシェル１２ｃの前方にはフロントシェル１２ａとバックシェル１２ｃとを連結するためのフランジ１２２ａ，１２２ｃがそれぞれ設けられており、それらのフランジ１２２ａ，１２２ｃが対向して連結されることでハウジング１２ｂを保持するシェルが形成される。このフロントシェル１２ａのフランジ１２２ａには爪１２１１ａ〜１２１４ａが４箇所設けられており、バックシェル１２ｃのフランジ１２１ｃにはそれらの爪１２１１ａ〜１２１４ａに対応する位置に切欠１２１１ｃ〜１２１４ｃが４箇所設けられている。したがってハウジング１２ｂを双方の貫通孔１２１ａ，１２１ｃに内挿してからフロントシェル１２ａのフランジ１２１ａとバックシェル１２ｃのフランジ１２１ｃとを対向させて４箇所の爪１２１１ａ〜１２１４ａを４箇所の切欠１２１１ｃ〜１２１４ｃにそれぞれ嵌め込むとハウジング１２ｂがシェルに内挿され保持される。
【００２９】
このようにして組み立てられた電気コネクタを図６に示す。
【００３０】
図６はハウジング１２ｂがシェル内に内挿され、フロントシェル１２ａとバックシェル１２ｃによりハウジング１２ｂが保持された後の外観を示す図である。
【００３１】
バックシェル１２ｃの後方からはバックシェル１２ｃの貫通孔１２１ｄを貫通して後方に延びた電気コンタクト１２１ｂが露出されるが、フロントシェル１２ａ側の各コンタクト１２１ｂはフロントシェル１２ａ内に組み込まれた形になる。このフロントシェル１２ａは相手方の電気コネクタにあるフロントシェルを受け入れるようになっており、相手方のレセクタブルタイプの電気コネクタが嵌合されるときにはそのフロントシェル同士も電気コンタクトとともに嵌合される。
【００３２】
このようにシェルが組み立てられたら、今度はバックシェル１２ｃ側の貫通穴１２１ｃを貫通して後方に延びている電気コンタクト１２１ｂとイコライザ基板１４の各パッド１４１ａ，１４１ｂ…との接続が行なわれる。なお、電気コネクタ１３の方も同様の構成ではあるが、イコライザが内蔵されないためカバーハウジングの大きさが変わり、バックシェルから延びる電気コンタクトそれぞれに直接ケーブルの各線材の導体がそれぞれ半田付けされる。
【００３３】
図７は電気コンタクト１２１ｂとイコライザ基板１４の配置を示す図である。
【００３４】
図７に示すように最上部にある電気コンタクト１２１１ｂはイコライザ基板１４上に延びてその電気コンタクトが接続される先のパッド付近でイコライザ基板１４側に折り返されている。そのイコライザ基板１４側に折りかえされた電気コンタクト１２１１ｂがパッド上でさらにイコライザ基板１４に沿って折り返されて対応するパッドのいずれかに配設される。その最上部の電気コンタクト１２１１ｂ以外の電気コンタクト１２１２ｂ，１２１３ｂは基板上面、基板下面にほぼ沿ってそれぞれ延びて対応するパッドにそれぞれ配設されており、それらのパッドに電気コンタクト１２１２ｂ，１２１３ｂがそれぞれ半田により固定される。
【００３５】
ここでイコライザ基板１４に実装されるイコライザ回路についてその動作を簡単に説明しておく。
【００３６】
チューナ側からケーブル組立体１０を介して送られてきた伝送信号それぞれがイコライザ基板１４に実装されているイコライザ回路に入力される。このイコライザ回路はコンデンサや抵抗やコイルなどの受動部品を有しており、チューナから送られてくる伝送信号に重畳された位相ジッタなどを小さくする。この位相ジッタ等を小さくした伝送信号がイコライザ基板１４の端部にあるパッドを介して電気コンタクト１２１ｂを経由してＰＤＰに伝送される。この伝送信号の中には動画像を表示するために必要な画像信号やクロック信号などがありチューナ側から送出されるときの信号波形にイコライザにより波形等化されて品質の向上した画像信号およびクロック信号がＰＤＰに供給される。この品質の向上した画像信号を用いてＰＤＰを駆動すると、ＰＤＰの表示面上には高画質な画像が表示される。
【００３７】
いままではイコライザ基板１４が内蔵された側の電気コネクタ１２が一般ユーザによりチューナ側に誤って接続されてしまう恐れがあった。しかしこの実施形態のものでは異なる大きさを持つ電気コネクタ１２，１３がケーブル１１の両端に固定されてケーブル組立体１０が構成される。この大きさの違いをユーザーが視覚的標識として視認することができるので接続先がＰＤＰであるかチューナであるかがすぐに特定される。
【００３８】
したがって電気コネクタの大きさの違いが視覚的標識としてユーザに視認され、誤った接続を行なう率が低減される。またカバーハウジングの寸法を変更するだけで新たな部品を追加する必要がないのでコストダウンを図れる。
【００３９】
またこのケーブル組立体１０を使用するユーザが家庭内の一般ユーザであることを考えると、双方の電気コネクタ１２，１３の大きさに違いがあってもチューナとＰＤＰとを誤って接続してしまう可能性がまだ捨て切れない。そこでさらに誤った接続を防止するためにケーブル１０の両端部に固定される電気コネクタ１２，１３それぞれのカバーハウジング１２ｄを異なる色彩にしてその色彩を視覚的標識にすると一層顕著な効果が得られる。この場合、嵌合相手のコネクタハウジングを同色にするとよい。一般ユーザであってもケーブル組立体１０のいずれかの電気コネクタをＰＤＰあるいはチューナに接続するときには、必ずカバーハウジング１２ｄを見ながら接続を行なう。したがってカバーハウジング１２ｄの色彩を異なる色彩にしておくことで一般ユーザに接続する側を知らせることができる。この場合には２つのカバーハウジングを異なる色の材料で成形する、或いは一方のカバーハウジングハウジングに塗料を塗布するなどの簡単な方法で異なる色彩がすぐに得られ、新たな部品を追加することもなく低コストなケーブル組立体をユーザに対して提供することができるようになる。
【００４０】
以上ＤＶＩ規格に準拠したケーブル組立体を例に挙げて説明したが、この例を先に述べたＨＤＭＩ規格に準拠したケーブル組立体に適用することは容易である。このときには図３に示すようにプラグタイプの電気コンタクトが２列になることから、電気コンタクトとイコライザ基板との接続が簡易になりさらなるコストダウンを図れる。
【００４１】
なお、本発明のケーブル組立体を、家庭にあるＰＤＰとチューナとの相互接続に限らず、ケーブルテレビジョンに用いられるセット・トップ・ボックスとＰＤＰとの相互接続に適用しても良い。また液晶プロジェクタとパーソナルコンピュータ本体との相互接続にも適用可能である。
【００４２】
以上説明したように、コネクタの大きさの違いを視覚的標識とするだけで、ユーザはこのケーブル組立体の接続方向を間違わずにチューナとディスプレイとを相互に接続することができる。またケーブルの両端に固定される電気コネクタのカバーハウジングの色彩を異なる色彩にすれば、その色彩の違いを視覚的標識とすることもできる。この場合には塗料を塗布することでも簡単に色彩を変えることができる。したがって電気コネクタのカバーハウジングの大きさを一方と他方とで変えたり、双方の電気コネクタのカバーハウジングの色彩を異ならせ、この双方のコネクタの形状、大きさあるいは色彩の違いを視覚的標識とすることができ、誤認防止用の新たな部品を設ける必要もないのでケーブル組立体のコストダウンを図れる。
【００４３】
なお、イコライザ回路は、受動部品からなるパッシブイコライザ回路の他にアクテイブイコライザ回路であってもよい。また、イコライザ回路は、イコライザ基板上に形成する代りに、コンタクト及びケーブル間に直接間挿させてもよい。この場合、１対のコネクタを同じ大きさにすることが可能になり、コネクタの識別にはカバーハウジングの異なる色彩が効果的となる。
【００４４】
【発明の効果】
以上、説明したように、本発明のケーブル組立体によれば、低価格であって、ＤＩＶ，ＨＤＭＩ等の規格に適合するとともに、ユーザが簡単にチューナとＰＤＰとの相互接続を行なえるケーブル組立体を提供することができる。
【図面の簡単な説明】
【図１】ＤＶＩ規格に適合する電気コネクタ（プラグタイプ）の嵌合面を示す図である。
【図２】ＨＤＭＩ規格に適合する電気コネクタ（レセクタブルタイプ）の嵌合面を示す図である。
【図３】ＨＤＭＩ規格に適合する電気コネクタ（プラグタイプ）の嵌合面を示す図である。
【図４】本発明の実施形態のケーブル組立体の外観を示す分解図である。
【図５】図１に示す二つの電気コネクタのうち、イコライザが内蔵された側の電気コネクタの構成を示す分解図である。
【図６】ハウジング１２ｂがシェル内に内挿され、フロントシェル１２ａとバックシェル１２ｃによりハウジング１２ｂが保持された後の外観を示す図である。
【図７】電気コンタクト１２１ｂとイコライザ基板１４の配置を示す図である。
【符号の説明】
１０  ケーブル組立体
１１  ケーブル
１２  電気コネクタ
１２ａ  フロントシェル
１２１ａ  貫通孔
１２２ａ  フランジ
１２１１ａ〜１２１４ａ  爪
１２ｂ  ハウジング
１２１ｂ    電気コンタクト
１２ｃ  バックシェル
１２１ｃ  貫通孔
１２２ｃ  フランジ
１２１１ｃ〜１２１４ｃ    切欠
１２ｄ  カバーハウジング
１２１ｄ    開口部
１２２ｄ    開口部
１３  電気コネクタ
【図１】
2004213949.tif 000003
【図２】
2004213949.tif 000004
【図３】
2004213949.tif 000005
【図４】
2004213949.tif 000006
【図５】
2004213949.tif 000007
【図６】
2004213949.tif 000008
【図７】
2004213949.tif 000009